(57)【特許請求の範囲】
【請求項１】
脚支柱の上端に設けた座受けと、この座受けで支持された座体と、背部が取付く揺動フレームと、座受けを下方から覆う上向き開口のベースカバーとを備えており、前記揺動フレームは、その前端部を中心にして後傾動するように左右横長のピンにて座受けに取付けられており、更に、前記ピンは座受けの外側に位置した露出部を有している椅子であって、
前記ベースカバーに、当該ベースカバーを下方から上向き動させると弾性変形して前記ピンの露出部を挟む挟持部が形成されており、更に、前記ベースカバーのうち前記ピンよりも手前の部位に、当該ベースカバーを後方にずらすと座受けに上方と下方から当たってベースカバーの前部を上下動不能に保持する位置決め手段が形成されている、
椅子。
【請求項２】
前記揺動フレームは、座受けの左右外側に位置する側板を備えており、この揺動フレームの側板を座受けに前記ピンで取付けており、更に、前記ピンは揺動フレームの側板の左右外側に位置した左右の露出部を有している一方、
前記ベースカバーには、前記ピンにおける左右露出部に下方から弾性的に嵌合する左右一対の挟持部が形成されており、これら左右挟持部の内側面が揺動フレームの外側面に当るようにして設定されている、
更に、前記位置決め手段は、座受けの前部の開口縁に形成されたフランジに上方から当たる係止片と、座受けの前面に当たる当接部とからなっている、
請求項１に記載した椅子。
【発明の詳細な説明】
【０００１】
【発明の属する技術分野】
本発明は、ロッキング椅子に関するものである。
【０００２】
【従来の技術】
背もたれが後傾するロッキング椅子は、一般に、脚の上端に設けた座受けで座体を支持すると共に、座受けに、背もたれが取り付く揺動フレームをピン（軸）で後傾動自在に枢支し、揺動フレームの後傾動をばねで支持した構造になっていることが多く、座受けはカバーで下方から覆われている。
【０００３】
そして、カバーの取付け手段として、特開平９─１００６２号公報には、カバーに設けた上向きの係止爪を、座板の下面板に形成した係合穴に嵌め入れることが記載されている。
【０００４】
【発明が解決しようとする課題】
しかし、前記公報の構成では、カバーを取り付けることのために座板を特別の構造にしなければならないため、それだけ構造が複雑化する問題があった。また、背もたれの後傾動に連動して座板が後退するいわゆるシンクロタイプの椅子には適用し難いという問題もあった。
【０００５】
本発明は、これらの問題を解消することを目的とするものである。
【０００６】
【課題を解決するための手段】
前記目的を達成するため、請求項１に係る発明では、脚支柱の上端に設けた座受けと、この座受けで支持された座体と、背部が取付く揺動フレームと、座受けを下方から覆う上向き開口のベースカバーとを備えており、前記揺動フレームは、その前端部を中心にして後傾動するように左右横長のピンにて座受けに取付けられており、更に、前記ピンは座受けの外側に位置した露出部を有している椅子において、前記ベースカバーに、当該ベースカバーを下方から上向き動させると弾性変形して前記ピンの露出部を挟む挟持部が形成されており、更に、前記ベースカバーのうち前記ピンよりも手前の部位に、当該ベースカバーを後方にずらすと座受けに上方と下方から当たってベースカバーの前部を上下動不能に保持する位置決め手段が形成されている。
【０００７】
また、請求項２に係る発明は、請求項１において、前記揺動フレームは、座受けの左右外側に位置する側板を備えており、この揺動フレームの側板を座受けに前記ピンで取付けており、更に、前記ピンは揺動フレームの側板の左右外側に位置した左右の露出部を有している一方、前記ベースカバーには、前記ピンにおける左右露出部に下方から弾性的に嵌合する左右一対の挟持部が形成されており、これら左右挟持部の内側面が揺動フレームの外側面に当るようにして設定されている、更に、前記位置決め手段は、座受けの前部の開口縁に形成されたフランジに上方から当たる係止片と、座受けの前面に当たる当接部とからなっている。
【０００８】
本発明では、座体は座受けにピン等で直接に取付けても良いし、実施形態に示すような中間金具を介して取付けても良い。また、揺動フレームも、座受けにピンで直接に取付けても良いし、座受けに設けたブラケットにピンで取付けても良く、いずれにしても請求項の構成に含まれる。
【０００９】
【発明の作用・効果】
本発明では、揺動フレームを座受けに取り付けるためのピンを利用してベースカバーを取り付けるものであるため、座板等に特別の加工を施す必要はなく、それだけ構造が簡単になると共に、既存の椅子に対しても、特別の設計変更をすることなく簡単に適用できる。
【００１０】
また、固定式の座受けに取付けるものであるため、座体が後退するシンクロタイプの椅子にも支障なく適用できる。更に、ベースカバーは、その前部が上下動不能に保持された状態で挟持部が第２ピンに嵌合しているため、ガタ付きのない状態で座受けに取付けられる。
【００１１】
請求項２のように構成すると、ベースカバーは、自身に設けた挟持部によって左右動不能に位置決めできるため、それだけベースカバーの構造を簡単化できる利点がある。
【００１２】
【発明の実施形態】
次に、本発明の実施形態を図面に基づいて説明する。
【００１３】
(1).第１実施形態（図１〜図７）
図１〜図７では第１実施形態を示しており、図１は椅子の右側面図、図２は縦断右側面図、図３及び図４は分離斜視図、図５は図２の V-V視平面図、図６は図５のVI−VI視断面図、図７は図６の VII-VII視断面図である。
【００１４】
≪基本構造≫
椅子は、ガスシリンダ等の脚支柱１を備えた脚２と、脚支柱２の上端に固定した上向き開口の座受け３と、座受け（ベース）３に上方から被さる中間金具４と、中間金具４の後方に配置した揺動フレーム５と、中間金具４と揺動フレーム５とで支持した座体６と、揺動フレーム５に取り付けた背部７とを備えている。
【００１５】
座受け３の開口縁にはフランジ３ｂを形成している。脚支柱１は脚カバー８で覆われており、座受け３も上向きに開口したベースカバー９で下方から覆われている。
【００１６】
座受け３の底面には第１ブラケット１０を固着しており、この第１ブラケット１０と座受け３とに固定したブッシュ１１に脚支柱１の上端を嵌着している。また、座受け３における左右両側板３ａの前部には前後長手の長穴１２が空いており、この長穴１２と中間金具４の側板４ａとに第１ピン１３を挿入している。
【００１７】
座受け３の下面には正面視下向き開口コ字状の第２ブラケット１４を溶接等によって固着している一方、揺動フレーム５は、第２ブラケット１４の外側に位置する側板５ａを備えており、揺動フレーム５の前端部を、座受け３の側板３ａに貫通した第２ピン１５によって第２ブラケット１４に取付けている。
【００１８】
また、揺動フレーム５と中間金具４とは第３ピン１６によって連結されている。例えば図３に示すように、揺動フレーム５には、左右方向に広がる翼状の受け板２０を固着している。受け板２０における傾斜部の外面には、肘掛け装置の支柱（図示せず）をねじで固定するようになっている。
【００１９】
図１や図２に示すように、座受け３の後部には、揺動フレーム５を貫通した下向きのロッド１７が回転不能に取付けられており、このロッド１７の先端部に設けたばね受け１８で、弾性手段の一例としてのコイルばね（図示せず）を支持しており、コイルばねで揺動フレーム５を受けている。コイルばねはホルダー１９に嵌まっている。
【００２０】
背部７は、着座した人の腰を包むように平面視で前向き凹状に形成された腰部アウター部材２１と、この腰部アウター部材２１に取付けた背受け２２とから成ってる。腰部アウター部材２１は、揺動フレーム５の受け板２０にねじで固定されている。図２に示すように、背受け２２は、アウターシェル（外カバー）２２ａと、その手前に配置したインナーシェル（芯板）２２ｂと、その前面に張ったクッション２２ｃとから成っている。
【００２１】
図６に示すように、座体６は、インナーシェル（芯板）２４と、その上面に張ったクッション２５とを備えており、インナーシェル２４には、中間金具４に載る足部２４ａが形成されている。図では詳細は示していないが、インナーシェル２４は側面視で屈曲するように前後に分断されており、前部のインナーシェルは中間金具４で支持され、後部のインナーシェルは揺動フレーム５の受け体２０で支持されている。
【００２２】
従って、揺動フレーム５及び背部７がコイルばねに抗して後傾すると、座体６は屈曲しながら、後退しつつ後傾動する。インナーシェル２４には、中間金具４の外側面に当接又は密接するリブ２４ｂを設けて、座体６の左右方向の位置決めを行っている。
【００２３】
図１及び図５に示すように、座受け３の右側板３ａには、脚支柱１のプッシュバルブを操作するための操作レバー２６が貫通している。
【００２４】
≪ベースカバー９の取付け構造≫
例えば図４に示すように、ベースカバー９の底板には、脚支柱１及び脚カバー８が貫通する逃がし穴２７が空いている。また、左右の側板９ａには、操作レバー２４との干渉を防止するため、上向き開口の逃がし溝２８を形成している。逃がし溝２８の箇所には補強リブ２９を形成している。逃がし溝２８を使用しない場合は、図７に一点鎖線で示すように、着脱自在なキャップ２８ａで塞いでおくとよい。
【００２５】
図４及び図７に示すように、ベースカバー９の先端部には、座受け３のフランジ３ｂに上方から当たる係止片３０を形成している。
【００２６】
なお、ベースカバー９は後方に開口しており、後端を平面視で円弧状に形成している一方、前記した腰部アウター部材２１の先端部は、ベースカバー９の後端面に対応して平面視前向き開口の円弧状に形成されており、ベースカバー９の後部下面と腰部アウター部材２１の前部下面とは同一面を成すように設定されている。
【００２７】
図６に示すように、前記第２ピン１５は揺動フレーム５の左右外側に露出している一方、ベースカバー９の内部には、第２ピン１５の外向き露出部に下方から弾性に抗して嵌合する左右一対の挟持部３１を一体に形成している。挟持部３１には、ガイド用の傾斜面３１ａと、弾性変形させるためのスリット３１ｂとを形成している。
【００２８】
また、挟持部３１は前後一対の枠板３１ｃを設けており、この枠板３１ｃが揺動フレーム５の外側面に当たる（又は密接する）ように設定している。このため、ベースカバー９の左右位置が正確に位置決めされる。
【００２９】
また、図２及び図７に示すように、ベースカバー９の前寄り部が座受け３の前端下部に当たるように設定している（当接部を符号３２で示す）。このように、ベースカバー９は、その前部が係止片３０と当接部３２とによって上下動不能に保持された状態で挟持部３１が第２ピン１５に嵌合しているため、ガタ付きのない状態で座受け３に取付けられている。
【００３０】
(2).第２実施形態（図８〜図９）
図８及び図９では第２実施形態を示しており、図８は正断面図、図９は図８の X-X視断面図である。
【００３１】
この実施形態では、ベースカバー９に、第１ピン１３の箇所で座受け３と中間金具４との間に介在するスペーサ部３４を一体に形成している。スペーサ部３４は、第１ピン１３への嵌め込みを可能にするため上向きに開口しており、また、第１ピン１３の後退動を許容するため、開口溝３５は前後方向に延びている。
【００３２】
ベースカバー９は、第１実施形態と同様に、第２ピン１５に嵌合する挟持部を設けている。
【００３３】
この第２実施形態のように構成すると、第１ピン１３にはブッシュ又はカラーを設ける必要がないため、部品管理の手間と組み立て工程との手間を抑制することができると共に、部品の共通化によってコストも抑制できる。また、ベースカバー９を正確に位置決めすることもできる。
【００３４】
この場合、一点鎖線で示すように、ベースカバー９の側板９ａで第１ピン１３の左右移動を規制しても良く、このようにすると、第１ピン１３にはスナップリングのような止め具を必要としないため、部品点数をいっそう低減できる。
【００３５】
この第２実施形態のように、ベースカバー９にスペーサ部３４を設けることは、本願発明以外の方法でベースカバーを取り付ける場合にも適用することができる（すなわち、スペーサ部を設けること自体で独立した発明たり得る）。
【００３６】
(3).第３実施形態（図10）
図１０に第３実施形態として示すように、ベースカバー９に、ピン３６の軸方向の弾性変形によってピン３６の端部に嵌脱する左右一対の挟持部３７を形成しても良い。
【図面の簡単な説明】
【図１】第１実施形態に係る椅子の右側面図である。
【図２】縦断右側面図である。
【図３】座受けと中間金具と揺動フレームとの分離斜視図である。
【図４】中間金具と座受けとベースカバーとの分離斜視図である。
【図５】図２の V-V視平面図である。
【図６】図５のVI−VI視断面図である。
【図７】図６の VII-VII視断面図である。
【図８】第２実施形態の正断面図である。
【図９】図８のＸ−Ｘ断面図である。
【図10】第３実施形態を示す部分断面図である。
【符号の説明】
１  脚支柱
３  座受け
４  中間金具
５  揺動フレーム
６  座体
９  ベースカバー
１４  第２ブラケット
１５  第２ピン
３０  位置決め手段を構成する係止片
３１  挟持部
３２  位置決め手段を構成する当接部
【図１】
0003776685.tif 000002
【図２】
0003776685.tif 000003
【図３】
0003776685.tif 000004
【図４】
0003776685.tif 000005
【図５】
0003776685.tif 000006
【図６】
0003776685.tif 000007
【図７】
0003776685.tif 000008
【図８】
0003776685.tif 000009
【図９】
0003776685.tif 000010
【図１０】
0003776685.tif 000011